(57)【要約】      （修正有）【課題】簡単な構成で施工性に優れ、上方向からの圧力だけでなく、下方向からの圧力にも強い太陽光パネル保持器具であるガイドレールを提供する。【解決手段】太陽光パネルの取付に伴うコ字形状の箱型ガイドレールであって、箱型ガイドレールの底面を形成する底面部２１と、箱型ガイドレールの長手方向側面を形成する一対の側壁部２２と、箱型ガイドレールの長手方向の一の端部を形成する前壁部２３と、を有し、箱型ガイドレールの長手方向の他の端部は開放されて太陽光パネルの挿入口２４を形成し、２の前記箱型ガイドレールは太陽光パネルの横幅と等しい間隔を保持しつつ平行に傾斜をつけて配置され、太陽光パネルを挿入口より受け入れることを特徴とする。【選択図】図１
0003194315.tif 000002
【実用新案登録請求の範囲】
【請求項１】
太陽光パネルの取付に伴うコ字形状の箱型ガイドレールであって、
前記箱型ガイドレールの底面を形成する底面部（２１）と、
前記箱型ガイドレールの長手方向側面を形成する一対の側壁部（２２）と、
前記箱型ガイドレールの長手方向の一の端部を形成する前壁部（２３）と、
を有し、前記箱型ガイドレールの長手方向の他の端部は開放されて前記太陽光パネルの挿入口（２４）を形成し、２の前記箱型ガイドレールは前記太陽光パネルの横幅と等しい間隔を保持しつつ平行に傾斜をつけて配置され、前記太陽光パネルを前記挿入口より受け入れることを特徴とするガイドレール。
【請求項２】
前記コ字形状の箱型ガイドレールは、２のガイドレールを各々の前記底面部（２１）の裏側を背として互いに背合わせに着接させることにより１のＨ形の複合レール（１）を形成し、複数の前記Ｈ型の複合レール（１）は前記太陽光パネルの横幅と等しい間隔をもって平行に傾斜をつけて配置され、平行に傾斜をつけて配置された前記複数のＨ型の複合レール（１）は土台として互いに平行に設置された２の支柱（４）に対して直角に組付けられることを特徴とする請求項１記載のガイドレール。
【請求項３】
前記Ｈ型の複合レール（１）の両端部近傍にはそれぞれ締結部材（３）が設置され、前記Ｈ型の複合レール（１）は前記締結部材（３）によって前記２の支柱（４）に組付けられることを特徴とする請求項２記載のガイドレール。
【請求項４】
前記締結部材（３）としてクランプを使用することを特徴とする請求項３記載のガイドレール。
【考案の詳細な説明】
【技術分野】
【０００１】
本考案は、太陽光パネルの設置、取付に伴うガイドレールに関する。
【背景技術】
【０００２】
太陽光パネルを設置する方法としては、特許文献１に開示されている発明が示すように、基礎の上に、矩形のパネル受材とそれを支える支柱から成る架体を設置し、該パネル受材上にパネルを載置するというものが一般的である。架体には、パネルの重量や強風に耐え得るよう、一定の重量を有する鋼鉄が使用されている。このため、これまでに開示された発明においては、風圧に対する強度を失わずに、施工性の向上と鋼材の使用量を少なくする工夫がなされており、一定の成果を上げている。
【０００３】
特許文献２は、パネルと架体を締結する部分の数を増やし、パネルあるいは架体単体ではなく、パネルと架体の組合せによって全体の強度を保持したうえで、架体に使用する鋼鉄の量を減らす発明が開示されている。また、特許文献３に開示の発明は、パネル受材を支持する同じ高さの支柱間にＸ型のブレースを設置する補強構造によって架体の強度を確保し、使用材料の薄肉化を図った。さらに、特許文献４は、パネル受材を構成する垂木を、下部と上部だけでなく中央部においても下方向から支持し、３点における支持によって垂木にかかる曲げモーメントの軽減を可能としたうえで、使用材の軽量化を実現した。
【先行技術文献】
【特許文献】
【０００４】
【特許文献１】実公平８−３０２３号公報
【特許文献２】特開２００４−１４０２５６号公報
【特許文献３】特開２０１２−２１５０６７号公報
【特許文献４】特開２０１３−５５２６３号公報
【考案の概要】
【考案が解決しようとする課題】
【０００５】
しかしながら、特許文献２の発明は、パネルと架台を締結した状態で全体として所定の強度基準を満たすように設計することから、汎用性に欠ける。また、締結箇所を増やすなどしているため、組立てに時間がかかる。また、特許文献３及び４の発明は、架体の一部で、ブレースを組み入れたり、支柱の数を増やしたりするなど、特殊な構成を採用していることから、その分、組立工程が増えて手間がかかる。また、斜め方向への鉄骨の取付が多くなれば、ビス穴の不一致等が生じやすくなる。
【０００６】
上述の発明も含めて、これまでの設置方法は、すべて、受体上にパネルを載置し、ビス穴を合わせて留めるといった方法を採用しており、施工に時間がかかるうえ、ビス穴のずれによる問題が生じる場合が多い。また、パネルを載置し、下方向からパネルをビスで繋ぎとめるやり方では、いくら架体の構造を強化しても、竜巻や台風の際に、下方からの風圧を受けてパネルが架体から脱離する危険性を払拭できない。
【０００７】
本考案は上記課題を解決し、簡単な構成で施工性に優れ、上方向からの圧力だけでなく、下方向からの圧力にも強いパネル保持器具を提供することを課題とする。
【課題を解決するための手段】
【０００８】
上記課題を解決するために、本考案は、パネル受体にパネルを載置してビスで繋ぎとめるという従来の方法にかわり、コ字形状の箱型ガイドレールによりパネルを両側から挟み込むという方法を採用する。
【０００９】
前記コ字形状の箱型ガイドレールの一端は、パネルフレームの挿入口として開口し、他の一端は挿入されたパネルフレームが衝止するよう閉じられ、前壁部を形成する。
【００１０】
また、各ガイドレールは、２本一対ごとに背中合わせに着接し、Ｈ形の複合レールを形成し、該複合レールの両端部近傍には、それぞれ締結部材が設置されている。各複合レールは前記挿入口を斜め上にして、パネルの横幅と等しい間隔を保ちながら平行に並べられ、前記締結部材によって、地面と水平に設置された上下２本の支柱に組付けられる。
【００１１】
後述する実施例においては、前述の上下２本の支柱は金属製の単管パイプを想定しており、前記締結部材としては、短時間に単管に握着できるクランプを採用する。
【００１２】
太陽光パネルは、左右のフレームを同時に、平行して設置されたガイドレールの挿入口より挿入する。フレームはガイドレールの案内で容易にスライド下降し、前記前壁部に撞着して衝止する。
【考案の効果】
【００１３】
本考案のガイドレールを使用することにより、太陽光パネルの設置に要する時間が大幅に短縮される。
【００１４】
本考案に係るガイドレールは従来のパネル載置型の架体と異なり、両側からしっかりと太陽光パネルを挟み込み、握持するため、竜巻、台風等の災害時におけるパネル脱離の危険性が大きく減少する。
【００１５】
上述のパネル設置に要する時間の大幅短縮に伴う労務費の減少に加えて、鋼鉄等必要部材の絶対量が従来の架体と比較して小さいため、本考案に係るガイドレールの採用によって製造コストの削減が実現する。
【図面の簡単な説明】
【００１６】
【図１】本実施形態のガイドレールの構成を示す斜視図である。
【図２】ガイドレールの各端部の形状を示す斜視図である。
【図３】本実施形態において締結部材として使用するクランプとその設置位置を示す概念斜視図である。
【図４】本実施形態のガイドレールの配置を示す斜視図である。
【考案を実施するための形態】
【００１７】
以下に、本考案の実施形態の1例について図を用いて説明する。
まず、本実施形態の構成について説明する。
本考案に係るガイドレール２の形状は、図１に示すように、コ字形状の箱型となっており、さらに一対のガイドレール２が各々背中合わせとなり、Ｈ形の複合レール１を形成する。ガイドレール２は箱型の底面を形成する底面部２１と長手方向側面を形成する一対の側壁部２２とからなる。また、図２に示すように、両方の端部のうち一端は閉口して側壁部２３をなし、他端は太陽光パネルの挿入口２４として開口している。
【００１８】
ガイドレールの配置は、図４に示すように、一対のガイドレール２すなわちＨ形の複合レール１が、パネルの幅と同じ間隔で置かれ、互いにコ字形状の開放面を対峙させつつ、挿入口２４を斜め上にして、傾斜して配置される。
【００１９】
本実施例においては、複合レール１は上下に配置された２本の支柱４に締結され、支柱４は単管パイプを想定している。２本の単管パイプ４は、段差をつけて地面と水平に、平行に配置されており、各パイプ間の距離は、後述するガイドレール２のクランプ間の距離と等しくなるよう設置されている（図４）。単管パイプ４への締結部材としては、図３に示すように、ワンタッチで装着可能であるナット締めのクランプ３を採用する。
【００２０】
具体的には、一対のガイドレール２すなわちＨ形の複合レール１の側壁外側の各端部近傍の２箇所にクランプ３が固着されており（図１・図３）、これにより、各レールの単管パイプ４への締結は、短時間に素早く行うことが可能となる。
【００２１】
太陽光パネル設置の手順は次のようになる。（１）パネルのフレームを先端の左右位置を揃えつつ挿入口２４から挿入する。（２）パネルを斜め下方向にスライドさせる。（３）パネルの先端が前壁部２３に撞着することにより全体が衝止する。
この状態で、ガイドレール２の底面部２１と側壁部２２がパネルのフレームに挟着し、両側から太陽光パネルを挟み込む形でしっかりと保持する。
【００２２】
前述のように、パネルの設置に際しては、従来のような架体へのビス止めの工程がないため、多くのパネルを短時間で設置することが可能となる。
【００２３】
本考案の有する特徴、及び優れた点を、考案の構成と機能の詳細をあげて上記実施形態に記載したが、本考案は、本考案の原理の範囲内で、本願の実用新案登録請求の範囲で使用されている言葉を広く一般的な意味にまで広げて、細かな点、特にガイドレールの配置、部材等を変更しての実施が可能である。例えば、本実施例ではガイドレール２が各々背中合わせとなり、Ｈ形の複合レール１を形成するが、請求項１の考案では、これをＨ形とせず、コ字形状のまま互いに離して配置してもよい。また、支柱に単管パイプを使用しない場合は、締結部材についても、クランプではない支柱に適合するものを使用することが可能である。
【００２４】
また、本考案の原理の範囲内では、太陽光パネルをガイドレールに設置するためにビス留めは必要ないが、設置された太陽光パネルの盗難防止の観点から、数か所のビス留めを行うことが望ましい場合がある。この場合のビス留めの位置及び数は、本考案の実施者により任意である。
【符号の説明】
【００２５】
１    複合レール
２    ガイドレール
２１  底面部
２２  側壁部
２３  前壁部
２４  挿入口
３    締結部材（クランプ）
３１  ボルト
３２  ナット
４    支柱（単管パイプ）
【図１】
0003194315.tif 000003
【図２】
0003194315.tif 000004
【図３】
0003194315.tif 000005
【図４】
0003194315.tif 000006